(57)【要約】【課題】円、円弧、放射状線、三角形、多角形、楕円等の大きさを無段階に且つ容易に描画できる定規を提供する。【解決手段】枠内に設けた回転調整体の回転操作及び該回転調整体に設けた径調整体のスライド操作により円或は円弧等の大きさを無段階に描けるタブレット型の描画定規と、枠内に設けた拡縮調整体の回転操作により拡縮調整体の中央に拡縮体が造る三角形或は多角形等の開孔の大きさを無段階に描けるタブレット型の描画定規があり、更にこれらのタブレット型描画定規の複数を混在自在に着脱基板に取り付けて使用できる基板着脱式の描画定規と、タブレット型の描画定規の機能を基板に任意複数組み込んだ基板組込式の描画定規があり各描画定規の選択肢の自由度が広く、扱い易く簡便且つ迅速に多種複数の描画を形成できることを特徴とする描画定規。【選択図】    図１
2016175355.tif 000002
【特許請求の範囲】
【請求項１】
枠体の枠内周縁に円板状を成す回転調整体の外周が保持され回転調整体は回転自在で、該回転調整体は単円板、或は分割円板から成り、該分割円板は円板の中心より径方向に対し複数分割した分割円板で各分割円板は互いの縁に回転自在に保持され、単円板、分割円板は径方向に長穴を有していて該長穴に沿って自在にスライド移動保持される径調整体があり該径調整体は筆記孔を有する筆記保持部を設けていて筆記保持部は筆記具の先端部を保持して、枠体の上面には回転角度位置を示す角度目盛と角度値、及び正三角形と正多角形の頂点位置を示す頂点目盛と角数を設け、回転調整体の上面には前記角度目盛、及び前記頂点目盛に合せるための角度合マークを設け前記長穴方向には径の大きさを示す径長目盛を設け径調整体には前記径長目盛の位置に合せるための径長合マークを設けていて、径長合マークを任意の径長目盛に合わせた状態で角度合マークを任意の角度位置に合わせることで円及び円弧の大きさを無段階に且つ容易に描け、角度合マークを任意の角度目盛に合わせた状態から径長合マークを任意の径長目盛にスライド移動することで任意の径線或は放射状線を無段階に且つ容易に描け、任意の三角形或は多角形を描く場合はこれら各頂点に対し角度位置には角度合マークを合せ径長位置には径長合マークを合せて全頂点位置をプロットした後に順次プロット間を結ぶことで任意の三角形或は多角形の形状及び大きさを無段階に描け、正三角形或は正多角形を描く場合においては径長合マークを径長目盛或は辺長目盛の位置に合せた後に各頂点目盛位置に角度合マークを合わせプロットした後に順次プロット間を結ぶことで正三角形或は正多角形の大きさを無段階に且つ容易に描けてタブレット型を有することを特徴とする描画定規。
【請求項２】
枠体が枠内に底部を有し、該底部は平板状で中央には開通孔があり、底部上面の中央より外方に向って描画三角形或は描画多角形の角数に等しい数のガイド溝が放射状に設けてあり、底部の上方には拡縮体があり、該拡縮体はガイド溝に等しい数のスライド板より構成され該各スライド板の下面側にスライドガイドが設けてあり該各スライドガイドが前記各ガイド溝に嵌りスライド自在で拡縮体は円陣状を成し各スライド板には長穴を有していて、拡縮体の上方には円板状の拡縮調整体があり、該拡縮調整体は中央に貫通孔があり外周は前記枠体の内周縁に保持され回転自在で下面側には描画三角形或は描画多角形の角数に等しい数の突起が設けてあり該突起が前記各スライド板の長穴に嵌り、拡縮調整体を回転することで前記突起が前記長穴に沿って移動し円陣状を成した各スライド板はガイド溝に沿って放射状に移動し拡縮体の中央には各スライド板の一辺で囲まれた三角形或は多角形の開孔が拡縮自在に相似形として形成され、枠体の上面には辺長表示目盛及び径長表示目盛を設け、拡縮調整体の上面には前記辺長表示目盛の位置に合わせるための辺長合マーク及び径長合マークを設けていて、拡縮調整体を回転させ任意の辺長目盛位置又は径長目盛位置に辺長合マーク又は径長合マークを合わせることで前記各スライド板の各一辺部分で構成される前記開孔の縁に沿って筆記具等でなぞることで三角形或は多角形の大きさを無段階に描けてタブレット型を有することを特徴とする描画定規。
【請求項３】
描画定規の多角形の角数を増やすことにより描画形状が円形或は楕円形等に近づけることが可能で、粗さ精度を重要視しない円描画或は楕円描画として用いることができる請求項２の描画定規。
【請求項４】
請求項１乃至請求項３の各描画定規の枠体外周部に取付溝を有する描画定規に於いて、基板に着脱穴及び取付ガイドを有する着脱基板を設け、該取付ガイドに前記取付溝が嵌り請求項１乃至請求項３の描画定規を前記着脱基板に自在に取り付け取り外し使用できる基板着脱を特徴とする描画定規。
【請求項５】
請求項１乃至請求項３の各描画定規の機能を基板に任意に組込み基板と一体化した基板組込を特徴とする描画定規。
【発明の詳細な説明】
【技術分野】
【０００１】
本発明は円、楕円、円弧、三角形、多角形、放射状線の大きさを無段階に且つ容易に描けることのできる描画定規に関するものである。
【背景技術】
【０００２】
従来一般的な描画定規はプラスチック板等に大小異なった円形や三角形及び多角形の描画穴を複数個設け、これら描画穴の縁に沿ってなぞり筆記具等で図形を画き使用するが、円形や三角形及び多角形を描画するための描画穴の大きさが段階的に定まっているため希望する大きさに描けないことが多くコンパスや定規を使用することになり、更に放射状線の描画に於いては分度器も要することになり、多くの描画具を使用することで手間がかかり不便である。
そこで、円描具として回転式の円板を用いて描く方法が提案され、また多角形描具としてあらかじめ基準となる正多角形を盤上に描設してある方法が提案されている。
【先行技術文献】
【特許文献】
【０００３】
【特許文献１】特開２０００−３２６６９３号公報
【非特許文献】
【０００４】
【非特許文献１】実用登録３１５３１４３号公報
【発明の概要】
【発明が解決しようとする課題】
【０００５】
特許文献１においては円板に複数の貫通孔を設け該貫通孔に筆記具等の先端部を挿入させて描く方法であるが円の大きさを段階的に描く方法であり円の大きさを無段階に描くことは不可能で、希望する円描画の大きさに自由度を欠く。
非特許文献１においては多角形の大きさを決めるために最初コンパスで円を描き後に描設された多角形の各頂点位置を前記円上に定めて頂点を順次結ぶといった方法で実に手間のかかる操作となる。
【課題を解決するための手段】
【０００６】
本発明の描画定規は単体のみで使用可能な単能仕様のタブレット型の描画定規と、単体使用が可能であると共に基板に取り付けての使用も可能な複合仕様のタブレット型の描画定規があり、これらタブレット型の描画定規には円或は円弧等の大きさを無段階に描けるタブレット型描画定規と三角形或は多角形等の大きさを無段階に描けるタブレット型の描画定規があり、前者をタブレットＡ型の描画定規、後者をタブレットＢ型の描画定規と称し、又タブレット型の描画定規を複数基板に着脱して使用できる基板着脱式の描画定規とタブレット型の描画定規の機能を基板に任意複数組み込んだ基板組込式の描画定規がある。
【０００７】
枠体の枠内周縁に円板状を成す回転調整体の外周が保持され回転調整体は回転自在で、該回転調整体は単円板、或は分割円板から成り、該分割円板は円板の中心より径方向に対し複数分割した分割円板で各分割円板は互いの縁に回転自在に保持され、単円板、分割円板は径方向に長穴を有していて該長穴に沿って自在にスライド移動保持される径調整体があり該径調整体は筆記孔を有する筆記保持部を設けていて筆記保持部は筆記具の先端部を保持して、枠体の上面には回転角度位置を示す角度目盛と角度値、及び正三角形と正多角形の頂点位置を示す頂点目盛と角数を設け、回転調整体の上面には前記角度目盛、及び前記頂点目盛に合せるための角度合マークを設け前記長穴方向には径の大きさを示す径長目盛を設け径調整体には前記径長目盛の位置に合せるための径長合マークを設けていて、径長合マークを任意の径長目盛に合わせた状態で角度合マークを任意の角度位置に合わせることで円及び円弧の大きさを無段階に且つ容易に描け、角度合マークを任意の角度目盛に合わせた状態から径長合マークを任意の径長目盛にスライド移動することで任意の径線或は放射状線を無段階に且つ容易に描け、任意の三角形或は多角形を描く場合はこれら各頂点に対し角度位置には角度合マークを合せ径長位置には径長合マークを合せて全頂点位置をプロットした後に順次プロット間を結ぶことで任意の三角形或は多角形の形状及び大きさを無段階に描け、正三角形或は正多角形を描く場合においては径長合マークを径長目盛或は辺長目盛の位置に合せた後に各頂点目盛位置に角度合マークを合わせプロットした後に順次プロット間を結ぶことで正三角形或は正多角形の大きさを無段階に且つ容易に描けるタブレットＡ型の描画定規である。
【０００８】
枠体が枠内に底部を有し、該底部は平板状で中央には開通孔があり、底部上面の中央より外方に向って描画三角形或は描画多角形の角数に等しい数のガイド溝が放射状に設けてあり、底部の上方には拡縮体があり、該拡縮体はガイド溝に等しい数のスライド板より構成され該各スライド板の下面側にスライドガイドが設けてあり該各スライドガイドが前記各ガイド溝に嵌りスライド自在で拡縮体は円陣状を成し各スライド板には長穴を有していて、拡縮体の上方には円板状の拡縮調整体があり、該拡縮調整体は中央に貫通孔があり外周は前記枠体の内周縁に保持され回転自在で下面側には描画三角形或は描画多角形の角数に等しい数の突起が設けてあり該突起が前記各スライド板の長穴に嵌り、拡縮調整体を回転することで前記突起が前記長穴に沿って移動し円陣状を成した各スライド板はガイド溝に沿って放射状に移動し拡縮体の中央には各スライド板の一辺で囲まれた三角形或は多角形の開孔が拡縮自在に相似形として形成され、枠体の上面には辺長表示目盛及び径長表示目盛を設け、拡縮調整体の上面には前記辺長表示目盛の位置に合わせるための辺長合マーク及び径長合マークを設けていて、拡縮調整体を回転させ任意の辺長目盛位置又は径長目盛位置に辺長合マーク又は径長合マークを合わせることで前記各スライド板の各一辺部分で構成される前記開孔の縁に沿って筆記具等でなぞることで三角形或は多角形の大きさを無段階に描画できるタブレットＢ型の描画定規である。
【０００９】
描画定規の多角形の角数を増やすことにより描画形状が円形或は楕円形等に近づけることが可能で、粗さ精度を重要視しない円描画或は楕円描画として大きさを無段階に描画できる段落０００８記載の描画定規である。
【００１０】
段落０００７、０００８、０００９記載の各描画定規の枠体外周部に取付溝を有する描画定規に於いて、基板に着脱穴及び取付ガイドを有する着脱基板を設け、該取付ガイドに前記取付溝が嵌り段落０００７、０００８、０００９記載の描画定規を前記着脱基板に自在に取り付け取り外し使用できる基板着脱式の描画定規である。
【００１１】
段落０００７、０００８、０００９記載の各描画定規の機能を基板に任意に組込み基板と一体化した基板組込式の描画定規である。
【発明の効果】
【００１２】
本考案の描画定規には円或は円弧等の大きさを無段階に描けるタブレット型の描画定規と三角形或は多角形等の大きさを無段階に描けるタブレット型の描画定規がありそれぞれの特徴に合わせてタブレット型の描画定規を選択できることで利便性が大きい、更にこれらのタブレット型描画定規の複数を自在に着脱基板に取り付けて使用できる基板着脱式の描画定規とタブレット型の描画定規の機能を基板に任意複数組み込んだ基板組込式の描画定規があって、基板着脱式の描画定規はタブレット型描画定規の使用選択の自由度を重視する場合に便利であり、基板組込式の描画定規は使用を定めた描画を重視する場合に便利で、いずれも扱い易く簡便且つ迅速に多種複数の描画を形成できる優れた効果がある。
【図面の簡単な説明】
【００１３】
【図１】タブレットＡ型描画定規の分解図
【図２】タブレットＡ型描画定規の断面図
【図３】タブレットＡ型描画定規の状態図ア
【図４】タブレットＡ型描画定規の状態図イ
【図５】タブレットＡ型描画定規の状態図ウ
【図６】タブレットＡ型（単能仕様且つ単円板）の描画定規状態図
【図７】タブレットＢ型描画定規（六角形）の分解図
【図８】タブレットＢ型描画定規（六角形）の断面図
【図９】タブレットＢ型描画定規（六角形）の動作図ア
【図１０】タブレットＢ型描画定規（六角形）の動作図イ
【図１１】タブレットＢ型描画定規（六角形）の動作図ウ
【図１２】タブレットＢ型描画定規（多角円形）図
【図１３】タブレットＢ型描画定規（多角楕円形）図
【図１４】タブレット型描画定規の基板着脱状態図
【図１５】タブレット型描画定規の基板装着状態図
【図１６】基板組込式の描画定規図
【発明を実施するための形態】
【００１４】
本発明の描画定規であるタブレットＡ型の描画定規、段落０００７、タブレットＢ型の描画定規、段落０００８、０００９、基板着脱式の描画定規、段落００１０、基板組込式の描画定規、段落００１１記載の各描画定規について図を基に機構及び操作について説明します。
タブレットＡ型の描画定規、段落０００７、及びタブレットＢ型の描画定規、段落０００８、０００９に対する記載図は枠体側部にガイド溝を設けた基板への着脱が可能な複合仕様の描画定規で説明します。
【００１５】
（１）タブレットＡ型描画定規の機構及び操作の説明
タブレットＡ型描画定規の回転調整体は外円板と内円板から成る分割円板の方式で説明します。
（機構について）
図１及び図２に示すように回転調整体１２は外円板１３と内円板１４とで構成された分割円板で枠体上部１１ａの嵌合ガイド１１ｉ１乃至１１ｉ４と枠体下部１１ｂの嵌合溝１１ｊ１乃至１１ｊ４とが嵌合されて外円板１３の回転スライドガイド１３ｄが枠体上部１１ａの回転スライド溝１１ｈと枠体下部１１ｂの上面に保持され外円板１３は回転自在で、内円板１４の回転スライドガイド１４ｄは外円板１３の回転スライド溝１３ｈに嵌り内円板１４は回転自在になっていて、径の小さい円描画等では単円板より分割円板の内円板を使用することでスムースな回転が得られる。
回転調整体１２の径スライドガイド１４ｃに径調整体１５の径スライド溝１５ａが嵌り径調整体１５は径方向に移動自在で径調整体１５には筆記具先端を保持する筆記保持部１５ｃを設けてある。
枠体上部１１ａには角度目盛１１ｄと角度値１１ｃ、又、多角形描画のための各多角形の角数１１ｆと頂点目盛１１ｅを設けてありこれら目盛に合わせるため回転調整体１２には角度合マーク１３ｅを設け、回転調整体１２の外円板及び内円板には径長目盛１３ａ,１４ａと径長値１３ｂ,１４ｂを設け、これら径長目盛１３ａ,１４ａと径長値１３ｂ,１４ｂのそれぞれには半径表示と直径表示があり径調整体１５には径長目盛１３ａ,１４ａに合わせるための径長合マーク１５ｄを設けている。
回転調整体１２及び径調整体１５には滑り止め１３ｆ及び１５ｂを設け操作し易いようにしている。
（操作について）
円描画の場合は、希望する円径の大きさに径調整体１５を移動させ径長合マーク１５ｄを径長目盛１３ａ或は１４ａに合わせた後に筆記保持部１５ｃに筆記具の先端を挿入保持させて回転調整体１２を１回転以上回す。
円弧描画の場合は、径調整体１５を移動させて希望する円弧径の大きさに径長合マーク１５ｄを径長目盛１３ａ或は１４ａに合わせた後に回転調整体１２を回して円弧の開始角度の大きさに角度合マーク１３ｅを角度目盛１１ｄに合わせた後に筆記保持部１５ｃに筆記具の先端を挿入保持させて回転調整体１２を角度合マーク１３ｅが円弧の終了角度の角度目盛１１ｄ位置になるまで回転させる。
放射線描画の場合は、希望する放射線の角度に回転調整体１２を回して角度合マーク１３ｅを角度目盛１１ｄに合わせ径調整体１５を放射線長の開始位置に移動させ径長合マーク１５ｄを径長目盛１３ａ或は１４ａに合わせた後に筆記保持部１５ｃに筆記具の先端を挿入保持させて径調整体１５を移動させ径長合マーク１５ｄを放射線長の終了位置となる径長目盛１３ａ或は１４ａ位置まで移動させる。
三角形或は多角形の各図形描画の場合は、希望する図形の任意のポイントから各頂点までを結ぶ各直線の角度及び長さを決めた後に該各直線に対し、直線の角度は回転調整体１２を回して角度合マーク１３ｅを角度目盛１１ｄに合わせ直線の長さは径調整体１５を移動させ径長合マーク１５ｄを径長目盛１３ａ或は１４ａに合わせた後に筆記保持部１５ｃに筆記具の先端を挿入保持させてプロットすることで頂点が決まり各頂点を直線で結ぶ。
特に正三角形或は正多角形の図形描画の場合は、希望する図形の中心から頂点までの長さ位置に径調整体１５を移動させ径長合マーク１５ｄを径長目盛１３ａ或は１４ａに合わせ正三角形或は正多角形の角数１１ｆに相当する頂点目盛１１ｅ位置に角度合マーク１３ｅを合わせ、筆記保持部１５ｃに筆記具の先端を挿入保持させてプロットすることで頂点が決まり各頂点を直線で結ぶ。
方眼紙等の目盛線に合わせて使用する場合は基準線合マーク１１ｇ１乃至１１ｇ４を目盛線に合わせて使用する。
操作状態図として図２及び図３は回転調整体１２の外円板１３及び内円板１４は４５°位置で径調整体１５は図２が０ｍｍ位置で図３は直径１０ｍｍ位置を示した図で、図４は回転調整体１２の外円板１３及び内円板１４が０°位置で径調整体１５が直径３２ｍｍ位置を示した図、図５は回転調整体１２の外円板１３が１８０°の位置で内円板１４が９０°の位置で径調整体１５が直径１２ｍｍ位置を示した図になっている。
図６はタブレットＡ型描画定規で、取付溝を有しない単能仕様且つ回転調整体が単円板の構成で回転調整体１２が０°位置で径調整体１５が直径３２ｍｍ位置を示した状態図である。
【００１６】
（２）タブレットＢ型描画定規の機構及び操作の説明
（機構について）
正三角形及び正多角形のタブレットＢ型描画定規に於いては、底部の各ガイド溝が同形状で互いの夾角が等しく底部中心からの距離が等しく、各スライド板は同形状で、拡縮調整体の各突起は等間隔で拡縮調整体の中心からの距離を等しくすることが可能である。
正六角形のタブレット型描画定規を例として、図７及び図８に示すように拡縮調整体６２は枠体上部６１ａの嵌合ガイド６１ｉと枠体底部６１ｂの嵌合溝６１ｊとが嵌合されて拡縮調整体６２の回転スライドガイド６２ｇが枠体上部６１ａの回転スライド溝６１ｈと枠体底部６１ｂの上面に保持され拡縮調整体６２は回転自在で、拡縮調整体６２の各突起６２ａ乃至６２ｆが拡縮体６３の各スライド板６３ａ乃至６３ｆの長穴６３ａ１乃至６３ｆ１に嵌り、拡縮体６３の各スライドガイド６３ａ２乃至６３ｆ２が枠体底部６１ｂのガイド溝６１ｐ乃至６１ｕに嵌っている。
枠体６１に対し拡縮調整体６２を回転させることで各突起６２ａ乃至６２ｆは各長穴６３ａ１乃至６３ｆ１の内側面を押圧しながらスライド移動すると共に各スライドガイド６３ａ２乃至６３ｆ２がガイド溝６１ｎに沿ってスライド移動して各スライド板６３ａ乃至６３ｆが囲む６角開孔６５が相似形として拡縮する。
枠体上部６１ａには正六角形の中心から頂点までの長さとしての径長を示す径長目盛６１ｄと径長値６１ｃを設け、更に正六角形の一辺の長さとしての辺長を示す辺長目盛６１ｅと辺長値６１ｆを設けていて、拡縮調整体６２には径長目盛６１ｄ及び辺長目盛６１ｅに合わせるための径長合マーク６２ｉ及び辺長合マーク６２ｈを設けている。
正六角形の場合は径長値６１ｃと辺長値６１ｆは等しい。
図１２は多角円形のタブレットＢ型描画定規の例で多角円開孔Ｃ５は正十六角形により形成されていて多角円の大きさを表す直径を直径目盛Ｃ１ｅと直径値Ｃ１ｆで示し、半径を半径目盛Ｃ１ｄと半径値Ｃ１ｃで示している、図１３は多角楕円形のタブレットＢ型描画定規の例で多角楕円開孔Ｅ５は非正十八角形により形成されて多角楕円の大きさを表す長軸を長軸目盛Ｅ１ｄと長軸値Ｅ１ｃで示し、短軸を短軸目盛Ｅ１ｅと短軸値Ｅ１ｆで示している、何れも拡縮調整体Ｃ２或はＥ２を回転させることで多角円開孔Ｃ５及び多角楕円開孔Ｅ５は相似形として拡縮する。
拡縮調整体には滑り止めを設け操作し易いようにしている。
（操作について）
正六角形の描画の大きさを径長で決めるか辺長で決めるかを選択して拡縮調整体６２を回転させ、径長を選択の場合は径長合マーク６２ｉをＲｍｍ指示の径長目盛６１ｄに合わせ、辺長を選択の場合は辺長合マーク６２ｈをＬｍｍ指示の辺長目盛６１ｅに合わせ筆記具で６角開孔６５の縁に沿ってなぞる、
多角円形の描画に於いては拡縮調整体Ｃ２を回転させ、希望する円の大きさを直径で指定する場合は直径合マークＣ２ｈをＤｍｍ指示の直径目盛Ｃ１ｅに合わせ、半径で指定する場合は半径合マークＣ２ｉをＲｍｍ指示の半径目盛Ｃ１ｄに合わせ筆記具で多角円開孔Ｃ５の縁に沿ってなぞる。
多角楕円形の描画に於いては拡縮調整体Ｅ２を回転させ、希望する楕円の大きさを長軸で指定する場合は長軸合マークＥ２ｉをａｍｍ指示の長軸目盛Ｅ１ｄに合わせ、短軸で指定する場合は短軸合マークＥ２ｈをｂｍｍ指示の短軸目盛Ｅ１ｅに合わせ筆記具で多角楕円開孔Ｅ５の縁に沿ってなぞる。
方眼紙等の目盛線に合わせて使用する場合は各基準線合マーク６１ｇ、Ｃ１ｇ、Ｅ１ｇを目盛線に合わせて使用する。
本例のタブレットＢ型の描画定規に於いて、拡縮調整体Ｃ２を時計回りで開孔は拡大し、反時計回りで縮小する。
操作状態図として図８及び図９は６角開孔６５の拡縮の大きさは一辺或は半径が７．５ｍｍで、図１０は６角開孔６５の拡縮の大きさは一辺或は半径が１５ｍｍで、図１１は６角開孔６５が０ｍｍで正六角形の中心を示すことができる。
図１２の多角円開孔Ｃ５の拡縮の大きさは半径が１５ｍｍで、図１３の多角楕円の開孔Ｅ５は長軸が１５ｍｍで短軸が１０ｍｍの状態を示している。
【００１７】
（３）基板着脱式の描画定規の機構及び操作の説明
（機構について）
図１４の着脱基板１００に於いて着脱穴１０５及び１０２には取付ガイド１０５ａ乃至１０５ｄ及び１０２ａ乃至１０２ｄを設けていてタブレット型描画定規を自在に取付け取り外しが可能になっている。
着脱穴１０５等の中心を通り着脱基板１００の水平線上に水平基準線１００ａ及び垂直線上に垂直基準線１００ｂを設けている。
（操作について）
図１４に於いて五角形タブレットＢ型描画定規５０を装着する場合は着脱基板１００の
上面より着脱穴に合わせて五角形タブレットＢ型描画定規５０の取付溝５１ｋ１乃至５１ｋ４を着脱基板１００の取付ガイド１０５ａ乃至１０５ｄに沿うように下方に押して嵌め込み取り付ける。
タブレット型描画定規を基板より取り外す場合はタブレット型描画定規の枠体下部、或は枠体底部を指等で押さえて基板より上方に押し出す。
取付後の描画操作はタブレット型描画定規の単体状態の仕様と同様に扱う。
方眼紙等の目盛線に合わせて使用する場合は基準線１１０を目盛線に合わせて使用する。
図１４は着脱基板１００に五角形のタブレットＢ型描画定規５０の着脱前後状態を表し、タブレットＡ型描画定規１０及び六角形のタブレットＢ型描画定規６０を着脱基板１００に装着した状態を表している。
図１５は９種のタブレットＢ型描画定規を着脱基板２００に装着した状態を示していて、三角形３０、四角形４０、五角形５０、六角形６０、七角形７０、八角形８０、九角形９０、多角円Ｃ０、多角楕円Ｅ０のそれぞれを装着している。
【００１８】
（４）基板組込式の描画定規の機構及び操作の説明
（機構について）
図１６は複数のタブレット型描画定規の描画機能を有し３１０、３５０、３６０、３Ｃ０が基板３００に組み込まれ一体となった状態を表していて、六角形描画機能３６０の断面に示す様に枠体と基板が一体化ＵＮＩしている。
（操作について）
描画操作は基板着脱式の描画定規と同様の扱である。
【符号の説明】
【００１９】
１０  タブレットＡ型描画定規
１１  枠体
１１ａ枠体上部
１１ｂ枠体下部
１１ｃ角度値
１１ｄ角度目盛
１１ｅ頂点目盛
１１ｆ角数
１１ｇ１乃至１１ｇ４基準線合マーク
１１ｈ回転スライド溝
１１ｉ１乃至１１ｉ４嵌合ガイド１１ｊ１乃至１１ｊ４嵌合溝
１１ｋ１乃至１１ｋ４取付溝
１２回転調整体
１３外円板
１３ａ径長目盛
１３ｂ径長値
１３ｃ径スライドガイド
１３ｄ回転スライドガイド
１３ｅ角度合マーク
１３ｆ滑り止め
１３ｈ回転スライド溝
１４内円板
１４ａ径長目盛
１４ｂ径長値
１４ｃ径スライドガイド
１４ｄ回転スライドガイド
１５径調整体
１５ａ径スライド溝
１５ｂ滑り止め
１５ｃ筆記保持部
１５ｄ径長合マーク
３０三角形タブレットＢ型描画定規
４０四角形タブレットＢ型描画定規
５０五角形タブレットＢ型描画定規
６０六角形タブレットＢ型描画定規
６１枠体
６１ａ枠体上部
６１ｂ枠体底部
６１ｃ径長値
６１ｄ径長目盛
６１ｅ辺長目盛
６１ｆ辺長値
６１ｇ１乃至６１ｇ４基準線合マーク
６１ｈ回転スライド溝
６１ｉ１乃至６１ｉ４嵌合ガイド
６１ｊ１乃至６１ｊ４嵌合溝
６１ｋ１乃至６１ｋ４取付溝
６１ｍ開通孔
６１ｐ乃至６１ｕガイド溝
６２拡縮調整体
６２ａ乃至６２ｆ突起
６２ｇ回転スライドガイド
６２ｈ辺長合マーク
６２ｉ径長合マーク
６３拡縮体
６３ａ乃至６３ｆスライド板
６３ａ１乃至６３ｆ１長穴
６３ａ２乃至６３ｆ２スライドガイド
６５６角開孔
７０七角形タブレットＢ型描画定規
８０八角形タブレットＢ型描画定規
９０九角形タブレットＢ型描画定規
Ｃ０多角円形タブレットＢ型描画定規
Ｅ０多角楕円形タブレットＢ型描画定規
１００着脱基板
１００ａ水平基準線
１００ｂ垂直基準線
１０２着脱穴
１０２ａ乃至１０２ｄ取付ガイド
１０５着脱穴
１０５ａ乃至１０５ｄ取付ガイド
２００着脱基板
３００基板
３１０タブレットＡ型描画部
３５０タブレットＢ型５角形描画部
３６０タブレットＢ型６角形描画部
３Ｃ０タブレットＢ型多角円形描画部
ＵＮＩ枠体基板一体化
【図１】
2016175355.tif 000003
【図２】
2016175355.tif 000004
【図３】
2016175355.tif 000005
【図４】
2016175355.tif 000006
【図５】
2016175355.tif 000007
【図６】
2016175355.tif 000008
【図７】
2016175355.tif 000009
【図８】
2016175355.tif 000010
【図９】
2016175355.tif 000011
【図１０】
2016175355.tif 000012
【図１１】
2016175355.tif 000013
【図１２】
2016175355.tif 000014
【図１３】
2016175355.tif 000015
【図１４】
2016175355.tif 000016
【図１５】
2016175355.tif 000017
【図１６】
2016175355.tif 000018
【手続補正書】
【提出日】平成27年8月24日(2015.8.24)
【手続補正１】
【補正対象書類名】明細書
【補正対象項目名】全文
【補正方法】変更
【補正の内容】
【発明の詳細な説明】
【技術分野】
【０００１】
本発明は円、楕円、円弧、三角形、多角形、の大きさを無段階に且つ容易に描けることのできる描画定規に関するものである。
【背景技術】
【０００２】
従来一般的な描画定規はプラスチック板等に大小異なった円形や三角形及び多角形の描画穴を複数個設け、これら描画穴の縁に沿ってなぞり筆記具等で図形を画き使用するが、円形や三角形及び多角形を描画するための描画穴の大きさが段階的に定まっているため希望する大きさに描けないことが多くコンパスや定規等を使用することになって、手間がかかり不便である。
そこで、円描具として回転式の円板を用いて描く方法が提案され、また多角形描具としてあらかじめ基準となる正多角形を盤上に描設してある方法が提案されている。
【先行技術文献】
【特許文献】
【０００３】
【特許文献１】特開２０００−３２６６９３号公報
【非特許文献】
【０００４】
【非特許文献１】実用登録３１５３１４３号公報
【発明の概要】
【発明が解決しようとする課題】
【０００５】
特許文献１においては円板に複数の貫通孔を設け該貫通孔に筆記具等の先端部を挿入させて描く方法であるが円の大きさを段階的に描く方法であり円の大きさを無段階に描くことは不可能で、希望する円描画の大きさに自由度を欠く。
非特許文献１においては多角形の大きさを決めるために最初コンパスで円を描き後に描設された多角形の各頂点位置を前記円上に定めて頂点を順次結ぶといった方法で実に手間のかかる操作となる。
【課題を解決するための手段】
【０００６】
本発明の描画定規は単体のみで使用可能なタブレット型の描画定規と、タブレット型の描画定規として単体使用が可能であると共に基板に取り付けての使用も可能な複合仕様の基板着脱式の描画定規がある。
【０００７】
枠体が枠内に底部を有し、該底部は平板状で中央には開通孔があり、底部上面の中央より外方に向って描画三角形或は描画多角形の角数に等しい数のガイド溝が放射状に設けてあり、底部の上方には拡縮体があり、該拡縮体はガイド溝に等しい数のスライド板より構成され該各スライド板の下面側にスライドガイドが設けてあり該各スライドガイドが前記各ガイド溝に嵌りスライド自在で拡縮体は円陣状を成し各スライド板には長穴を有していて、拡縮体の上方には円板状の拡縮調整体があり、該拡縮調整体は中央に貫通孔があり外周は前記枠体の内周縁に保持され回転自在で下面側には描画三角形或は描画多角形の角数に等しい数の突起が設けてあり該突起が前記各スライド板の長穴に嵌り、拡縮調整体を回転することで前記突起が前記長穴に沿って移動し円陣状を成した各スライド板はガイド溝に沿って放射状に移動し拡縮体の中央には各スライド板の一辺で囲まれた三角形或は多角形の開孔が拡縮自在に相似形として形成され、枠体の上面には辺長表示目盛及び径長表示目盛を設け、拡縮調整体の上面には前記辺長表示目盛の位置に合わせるための辺長合マーク及び径長合マークを設けていて、拡縮調整体を回転させ任意の辺長目盛位置又は径長目盛位置に辺長合マーク又は径長合マークを合わせることで前記各スライド板の各一辺部分で構成される前記開孔の縁に沿って筆記具等でなぞることで三角形或は多角形の大きさを無段階に描画できるタブレット型の描画定規である。
【０００８】
描画定規の多角形の角数を増やすことにより描画形状が円形或は楕円形等に近づけることが可能で、粗さ精度を重要視しない円描画或は楕円描画として大きさを無段階に描画できる段落０００７記載の描画定規である。
【０００９】
段落０００７、０００８記載の各描画定規の枠体外周部に取付溝を有する描画定規に於いて、基板に着脱穴及び取付ガイドを有する着脱基板を設け、該取付ガイドに前記取付溝が嵌り段落０００７、０００８記載の描画定規を前記着脱基板に自在に取り付け取り外し使用できる基板着脱式の描画定規である。
【発明の効果】
【００１０】
本考案の描画定規は三角形或、多角形、円形等の大きさを無段階に描けるタブレット型の描画定規と、更にこれらのタブレット型描画定規の複数を自在に着脱基板に取り付けて使用できる基板着脱式の描画定規があって、基板着脱式の描画定規はタブレット型描画定規の使用選択の自由度を重視する場合に便利で、扱い易く簡便且つ迅速に多種複数の描画を形成できる優れた効果がある。
【図面の簡単な説明】
【００１１】
【図７】タブレット型描画定規（六角形）の分解図
【図８】タブレット型描画定規（六角形）の断面図
【図９】タブレット型描画定規（六角形）の動作図ア
【図１０】タブレット型描画定規（六角形）の動作図イ
【図１１】タブレット型描画定規（六角形）の動作図ウ
【図１２】タブレット型描画定規（多角円形）図
【図１３】タブレット型描画定規（多角楕円形）図
【図１４】タブレット型描画定規の基板着脱状態図
【図１５】タブレット型描画定規の基板装着状態図
【発明を実施するための形態】
【００１２】
本発明の描画定規として、段落０００７、０００８記載の各描画定規について図を基に機構及び操作について説明します。
記載図は枠体側部にガイド溝を設けた基板への着脱が可能な複合仕様の描画定規で説明します。
【００１３】
（１）タブレット型描画定規の機構及び操作の説明
（機構について）
多角形等を描くタブレット型描画定規は、底部の各ガイド溝が同形状で互いの夾角が等しく底部中心からの距離が等しく、各スライド板は同形状で、拡縮調整体の各突起は等間隔で拡縮調整体の中心からの距離を等しくすることが可能である。
正六角形のタブレット型描画定規を例として、図７及び図８に示すように拡縮調整体６２は枠体上部６１ａの嵌合ガイド６１ｉと枠体底部６１ｂの嵌合溝６１ｊとが嵌合されて拡縮調整体６２の回転スライドガイド６２ｇが枠体上部６１ａの回転スライド溝６１ｈと枠体底部６１ｂの上面に保持され拡縮調整体６２は回転自在で、拡縮調整体６２の各突起６２ａ乃至６２ｆが拡縮体６３の各スライド板６３ａ乃至６３ｆの長穴６３ａ１乃至６３ｆ１に嵌り、拡縮体６３の各スライドガイド６３ａ２乃至６３ｆ２が枠体底部６１ｂのガイド溝６１ｐ乃至６１ｕに嵌っている。
枠体６１に対し拡縮調整体６２を回転させることで各突起６２ａ乃至６２ｆは各長穴６３ａ１乃至６３ｆ１の内側面を押圧しながらスライド移動すると共に各スライドガイド６３ａ２乃至６３ｆ２がガイド溝６１ｎに沿ってスライド移動して各スライド板６３ａ乃至６３ｆが囲む６角開孔６５が相似形として拡縮する。
枠体上部６１ａには正六角形の中心から頂点までの長さとしての径長を示す径長目盛６１ｄと径長値６１ｃを設け、更に正六角形の一辺の長さとしての辺長を示す辺長目盛６１ｅと辺長値６１ｆを設けていて、拡縮調整体６２には径長目盛６１ｄ及び辺長目盛６１ｅに合わせるための径長合マーク６２ｉ及び辺長合マーク６２ｈを設けている。
正六角形の場合は径長値６１ｃと辺長値６１ｆは等しい。
図１２は多角円形のタブレット型描画定規の例で多角円開孔Ｃ５は正十六角形により形成されていて多角円の大きさを表す直径を直径目盛Ｃ１ｅと直径値Ｃ１ｆで示し、半径を半径目盛Ｃ１ｄと半径値Ｃ１ｃで示している、図１３は多角楕円形のタブレット型描画定規の例で多角楕円開孔Ｅ５は非正十八角形により形成されて多角楕円の大きさを表す長軸を長軸目盛Ｅ１ｄと長軸値Ｅ１ｃで示し、短軸を短軸目盛Ｅ１ｅと短軸値Ｅ１ｆで示している、何れも拡縮調整体Ｃ２或はＥ２を回転させることで多角円開孔Ｃ５及び多角楕円開孔Ｅ５は相似形として拡縮する。
拡縮調整体には滑り止めを設け操作し易いようにしている。
（操作について）
正六角形の描画の大きさを径長で決めるか辺長で決めるかを選択して拡縮調整体６２を回転させ、径長を選択の場合は径長合マーク６２ｉをＲｍｍ指示の径長目盛６１ｄに合わせ、辺長を選択の場合は辺長合マーク６２ｈをＬｍｍ指示の辺長目盛６１ｅに合わせ筆記具で６角開孔６５の縁に沿ってなぞる。
多角円形の描画に於いては拡縮調整体Ｃ２を回転させ、希望する円の大きさを直径で指定する場合は直径合マークＣ２ｈをＤｍｍ指示の直径目盛Ｃ１ｅに合わせ、半径で指定する場合は半径合マークＣ２ｉをＲｍｍ指示の半径目盛Ｃ１ｄに合わせ筆記具で多角円開孔Ｃ５の縁に沿ってなぞる。
多角楕円形の描画に於いては拡縮調整体Ｅ２を回転させ、希望する楕円の大きさを長軸で指定する場合は長軸合マークＥ２ｉをａｍｍ指示の長軸目盛Ｅ１ｄに合わせ、短軸で指定する場合は短軸合マークＥ２ｈをｂｍｍ指示の短軸目盛Ｅ１ｅに合わせ筆記具で多角楕円開孔Ｅ５の縁に沿ってなぞる。
方眼紙等の目盛線に合わせて使用する場合は各基準線合マーク６１ｇ、Ｃ１ｇ、Ｅ１ｇを目盛線に合わせて使用する。
本例のタブレット型の描画定規に於いて、拡縮調整体Ｃ２を時計回りで開孔は拡大し、反時計回りで縮小する。
操作状態図として図８及び図９は６角開孔６５の拡縮の大きさは一辺或は半径が７．５ｍｍで、図１０は６角開孔６５の拡縮の大きさは一辺或は半径が１５ｍｍで、図１１は６角開孔６５が０ｍｍで正六角形の中心を示すことができる。
図１２の多角円開孔Ｃ５の拡縮の大きさは半径が１５ｍｍで、図１３の多角楕円の開孔Ｅ５は長軸が１５ｍｍで短軸が１０ｍｍの状態を示している。
【００１４】
（２）基板着脱式の描画定規の機構及び操作の説明
（機構について）
図１４の着脱基板１００に於いて着脱穴１０５及び１０２には取付ガイド１０５ａ乃至１０５ｄ及び１０２ａ乃至１０２ｄを設けていてタブレット型描画定規を自在に取付け取り外しが可能になっている。
着脱穴１０５等の中心を通り着脱基板１００の水平線上に水平基準線１００ａ及び垂直線上に垂直基準線１００ｂを設けている。
（操作について）
図１４に於いて五角形タブレット型描画定規５０を装着する場合は着脱基板１００の上面より着脱穴に合わせて五角形タブレット型描画定規５０の取付溝５１ｋ１乃至５１ｋ４を着脱基板１００の取付ガイド１０５ａ乃至１０５ｄに沿うように下方に押して嵌め込み取り付ける。
タブレット型描画定規を基板より取り外す場合はタブレット型描画定規の枠体下部、或は枠体底部を指等で押さえて基板より上方に押し出す。  取付後の描画操作はタブレット型描画定規の単体状態の仕様と同様に扱う。  方眼紙等の目盛線に合わせて使用する場合は基準線１１０を目盛線に合わせて使用する。
図１４は着脱基板１００に五角形のタブレット型描画定規５０の着脱前後状態を表し、六角形のタブレット型描画定規６０を着脱基板１００に装着した状態を表している。
図１５は９種のタブレット型描画定規を着脱基板２００に装着した状態を示していて、三角形３０、四角形４０、五角形５０、六角形６０、七角形７０、八角形８０、九角形９０、多角円Ｃ０、多角楕円Ｅ０のそれぞれを装着している。
【符号の説明】
【００１５】
３０三角形タブレット型描画定規
４０四角形タブレット型描画定規
５０五角形タブレット型描画定規
６０六角形タブレット型描画定規
６１枠体
６１ａ枠体上部
６１ｂ枠体底部
６１ｃ径長値
６１ｄ径長目盛
６１ｅ辺長目盛
６１ｆ辺長値
６１ｇ１乃至６１ｇ４基準線合マーク
６１ｈ回転スライド溝
６１ｉ１乃至６１ｉ４嵌合ガイド
６１ｊ１乃至６１ｊ４嵌合溝
６１ｋ１乃至６１ｋ４取付溝
６１ｍ開通孔
６１ｐ乃至６１ｕガイド溝
６２拡縮調整体
６２ａ乃至６２ｆ突起
６２ｇ回転スライドガイド
６２ｈ辺長合マーク
６２ｉ径長合マーク
６３拡縮体
６３ａ乃至６３ｆスライド板
６３ａ１乃至６３ｆ１長穴
６３ａ２乃至６３ｆ２スライドガイド
６５６角開孔
７０七角形タブレット型描画定規
８０八角形タブレット型描画定規
９０九角形タブレット型描画定規
Ｃ０多角円形タブレット型描画定規
Ｅ０多角楕円形タブレット型描画定規
１００着脱基板
１００ａ水平基準線
１００ｂ垂直基準線
１０２着脱穴
１０２ａ乃至１０２ｄ取付ガイド
１０５着脱穴
１０５ａ乃至１０５ｄ取付ガイド
２００着脱基板
３００基板
３５０タブレット型５角形描画部
３６０タブレット型６角形描画部
３Ｃ０タブレット型多角円形描画部
【手続補正２】
【補正対象書類名】特許請求の範囲
【補正対象項目名】全文
【補正方法】変更
【補正の内容】
【特許請求の範囲】
【請求項１】
枠体が枠内に底部を有し、該底部は平板状で中央には開通孔があり、底部上面の中央より外方に向って描画三角形或は描画多角形の角数に等しい数のガイド溝が放射状に設けてあり、底部の上方には拡縮体があり、該拡縮体はガイド溝に等しい数のスライド板より構成され該各スライド板の下面側にスライドガイドが設けてあり該各スライドガイドが前記各ガイド溝に嵌りスライド自在で拡縮体は円陣状を成し各スライド板には長穴を有していて、拡縮体の上方には円板状の拡縮調整体があり、該拡縮調整体は中央に貫通孔があり外周は前記枠体の内周縁に保持され回転自在で下面側には描画三角形或は描画多角形の角数に等しい数の突起が設けてあり該突起が前記各スライド板の長穴に嵌り、拡縮調整体を回転することで前記突起が前記長穴に沿って移動し円陣状を成した各スライド板はガイド溝に沿って放射状に移動し拡縮体の中央には各スライド板の一辺で囲まれた三角形或は多角形の開孔が拡縮自在に相似形として形成され、枠体の上面には辺長表示目盛及び径長表示目盛を設け、拡縮調整体の上面には前記辺長表示目盛の位置に合わせるための辺長合マーク及び径長合マークを設けていて、拡縮調整体を回転させ任意の辺長目盛位置又は径長目盛位置に辺長合マーク又は径長合マークを合わせることで前記各スライド板の各一辺部分で構成される前記開孔の縁に沿って筆記具等でなぞることで三角形或は多角形の大きさを無段階に描けてタブレット型を有することを特徴とする描画定規。
【請求項２】
描画定規の多角形の角数を増やすことにより描画形状が円形或は楕円形等に近づけることが可能で、粗さ精度を重要視しない円描画或は楕円描画として用いることができる請求項１の描画定規。
【請求項３】
請求項１及び請求項２の各描画定規の枠体外周部に取付溝を有する描画定規に於いて、基板に着脱穴及び取付ガイドを有する着脱基板を設け、該取付ガイドに前記取付溝が嵌り請求項１及び請求項２の描画定規を前記着脱基板に自在に取り付け取り外し使用できることを特徴とする描画定規。
【手続補正３】
【補正対象書類名】図面
【補正対象項目名】全図
【補正方法】変更
【補正の内容】
【図７】
2016175355.tif 000019
【図８】
2016175355.tif 000020
【図９】
2016175355.tif 000021
【図１０】
2016175355.tif 000022
【図１１】
2016175355.tif 000023
【図１２】
2016175355.tif 000024
【図１３】
2016175355.tif 000025
【図１４】
2016175355.tif 000026
【図１５】
2016175355.tif 000027
【手続補正書】
【提出日】平成27年9月16日(2015.9.16)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】
本発明は円、楕円、円弧、三角形、多角形、の大きさを無段階に且つ容易に描けることのできる描画定規に関するものである。
【背景技術】
【０００２】
従来一般的な描画定規はプラスチック板等に大小異なった円形や三角形及び多角形の描画穴を複数個設け、これら描画穴の縁に沿ってなぞり筆記具等で図形を画き使用するが、円形や三角形及び多角形を描画するための描画穴の大きさが段階的に定まっているため希望する大きさに描けないことが多くコンパスや定規等を使用することになって、手間がかかり不便である。
そこで、円描具として回転式の円板を用いて描く方法が提案され、また多角形描具としてあらかじめ基準となる正多角形を盤上に描設してある方法が提案されている。
【先行技術文献】
【特許文献】
【０００３】
【特許文献１】特開２０００−３２６６９３号公報
【非特許文献】
【０００４】
【非特許文献１】実用登録３１５３１４３号公報
【発明の概要】
【発明が解決しようとする課題】
【０００５】
特許文献１においては円板に複数の貫通孔を設け該貫通孔に筆記具等の先端部を挿入させて描く方法であるが円の大きさを段階的に描く方法であり円の大きさを無段階に描くことは不可能で、希望する円描画の大きさに自由度を欠く。
非特許文献１においては多角形の大きさを決めるために最初コンパスで円を描き後に描設された多角形の各頂点位置を前記円上に定めて頂点を順次結ぶといった方法で実に手間のかかる操作となる。
【課題を解決するための手段】
【０００６】
本発明の描画定規は単体のみで使用可能なタブレット型の描画定規と、タブレット型の描画定規として単体使用が可能であると共に基板に取り付けての使用も可能な複合仕様の基板着脱式の描画定規がある。
【０００７】
枠体が枠内に底部を有し、該底部は平板状で中央には開通孔があり、底部上面の中央より外方に向って描画三角形或は描画多角形の角数に等しい数のガイド溝が放射状に設けてあり、底部の上方には拡縮体があり、該拡縮体はガイド溝に等しい数のスライド板より構成され該各スライド板の下面側にスライドガイドが設けてあり該各スライドガイドが前記各ガイド溝に嵌りスライド自在で拡縮体は円陣状を成し各スライド板には長穴を有していて、拡縮体の上方には円板状の拡縮調整体があり、該拡縮調整体は中央に貫通孔があり外周は前記枠体の内周縁に保持され回転自在で下面側には描画三角形或は描画多角形の角数に等しい数の突起が設けてあり該突起が前記各スライド板の長穴に嵌り、拡縮調整体を回転することで前記突起が前記長穴に沿って移動し円陣状を成した各スライド板はガイド溝に沿って放射状に移動し拡縮体の中央には各スライド板の一辺で囲まれた三角形或は多角形の開孔が拡縮自在に相似形として形成され、枠体の上面には辺長表示目盛及び径長表示目盛を設け、拡縮調整体の上面には前記辺長表示目盛の位置に合わせるための辺長合マーク及び径長合マークを設けていて、拡縮調整体を回転させ任意の辺長目盛位置又は径長目盛位置に辺長合マーク又は径長合マークを合わせることで前記各スライド板の各一辺部分で構成される前記開孔の縁に沿って筆記具等でなぞることで三角形或は多角形の大きさを無段階に描画できるタブレット型の描画定規である。
【０００８】
描画定規の多角形の角数を増やすことにより描画形状が円形或は楕円形等に近づけることが可能で、粗さ精度を重要視しない円描画或は楕円描画として大きさを無段階に描画できる段落０００７記載の描画定規である。
【０００９】
段落０００７、０００８記載の各描画定規の枠体外周部に取付溝を有する描画定規に於いて、基板に着脱穴及び取付ガイドを有する着脱基板を設け、該取付ガイドに前記取付溝が嵌り段落０００７、０００８記載の描画定規を前記着脱基板に自在に取り付け取り外し使用できる基板着脱式の描画定規である。
【発明の効果】
【００１０】
本考案の描画定規は三角形或、多角形、円形等の大きさを無段階に描けるタブレット型の描画定規と、更にこれらのタブレット型描画定規の複数を自在に着脱基板に取り付けて使用できる基板着脱式の描画定規があって、基板着脱式の描画定規はタブレット型描画定規の使用選択の自由度を重視する場合に便利で、扱い易く簡便且つ迅速に多種複数の描画を形成できる優れた効果がある。
【図面の簡単な説明】
【００１１】
【図１】タブレット型描画定規（六角形）の分解図
【図２】タブレット型描画定規（六角形）の断面図
【図３】タブレット型描画定規（六角形）の動作図ア
【図４】タブレット型描画定規（六角形）の動作図イ
【図５】タブレット型描画定規（六角形）の動作図ウ
【図６】タブレット型描画定規（多角円形）図
【図７】タブレット型描画定規（多角楕円形）図
【図８】タブレット型描画定規の基板着脱状態図
【図９】タブレット型描画定規の基板装着状態図
【発明を実施するための形態】
【００１２】
本発明の描画定規として、段落０００７、０００８記載の各描画定規について図を基に機構及び操作について説明します。
記載図は枠体側部にガイド溝を設けた基板への着脱が可能な複合仕様の描画定規で説明します。
【００１３】
（１）タブレット型描画定規の機構及び操作の説明
（機構について）
多角形等を描くタブレット型描画定規は、底部の各ガイド溝が同形状で互いの夾角が等しく底部中心からの距離が等しく、各スライド板は同形状で、拡縮調整体の各突起は等間隔で拡縮調整体の中心からの距離を等しくすることが可能である。
正六角形のタブレット型描画定規を例として、図１及び図２に示すように拡縮調整体６２は枠体上部６１ａの嵌合ガイド６１ｉと枠体底部６１ｂの嵌合溝６１ｊとが嵌合されて拡縮調整体６２の回転スライドガイド６２ｇが枠体上部６１ａの回転スライド溝６１ｈと枠体底部６１ｂの上面に保持され拡縮調整体６２は回転自在で、拡縮調整体６２の各突起６２ａ乃至６２ｆが拡縮体６３の各スライド板６３ａ乃至６３ｆの長穴６３ａ１乃至６３ｆ１に嵌り、拡縮体６３の各スライドガイド６３ａ２乃至６３ｆ２が枠体底部６１ｂのガイド溝６１ｐ乃至６１ｕに嵌っている。
枠体６１に対し拡縮調整体６２を回転させることで各突起６２ａ乃至６２ｆは各長穴６３ａ１乃至６３ｆ１の内側面を押圧しながらスライド移動すると共に各スライドガイド６３ａ２乃至６３ｆ２がガイド溝６１ｎに沿ってスライド移動して各スライド板６３ａ乃至６３ｆが囲む６角開孔６５が相似形として拡縮する。
枠体上部６１ａには正六角形の中心から頂点までの長さとしての径長を示す径長目盛６１ｄと径長値６１ｃを設け、更に正六角形の一辺の長さとしての辺長を示す辺長目盛６１ｅと辺長値６１ｆを設けていて、拡縮調整体６２には径長目盛６１ｄ及び辺長目盛６１ｅに合わせるための径長合マーク６２ｉ及び辺長合マーク６２ｈを設けている。
正六角形の場合は径長値６１ｃと辺長値６１ｆは等しい。
図６は多角円形のタブレット型描画定規の例で多角円開孔Ｃ５は正十六角形により形成されていて多角円の大きさを表す直径を直径目盛Ｃ１ｅと直径値Ｃ１ｆで示し、半径を半径目盛Ｃ１ｄと半径値Ｃ１ｃで示している、図７は多角楕円形のタブレット型描画定規の例で多角楕円開孔Ｅ５は非正十八角形により形成されて多角楕円の大きさを表す長軸を長軸目盛Ｅ１ｄと長軸値Ｅ１ｃで示し、短軸を短軸目盛Ｅ１ｅと短軸値Ｅ１ｆで示している、何れも拡縮調整体Ｃ２或はＥ２を回転させることで多角円開孔Ｃ５及び多角楕円開孔Ｅ５は相似形として拡縮する。
拡縮調整体には滑り止めを設け操作し易いようにしている。
（操作について）
正六角形の描画の大きさを径長で決めるか辺長で決めるかを選択して拡縮調整体６２を回転させ、径長を選択の場合は径長合マーク６２ｉをＲｍｍ指示の径長目盛６１ｄに合わせ、辺長を選択の場合は辺長合マーク６２ｈをＬｍｍ指示の辺長目盛６１ｅに合わせ筆記具で６角開孔６５の縁に沿ってなぞる。
多角円形の描画に於いては拡縮調整体Ｃ２を回転させ、希望する円の大きさを直径で指定する場合は直径合マークＣ２ｈをＤｍｍ指示の直径目盛Ｃ１ｅに合わせ、半径で指定する場合は半径合マークＣ２ｉをＲｍｍ指示の半径目盛Ｃ１ｄに合わせ筆記具で多角円開孔Ｃ５の縁に沿ってなぞる。
多角楕円形の描画に於いては拡縮調整体Ｅ２を回転させ、希望する楕円の大きさを長軸で指定する場合は長軸合マークＥ２ｉをａｍｍ指示の長軸目盛Ｅ１ｄに合わせ、短軸で指定する場合は短軸合マークＥ２ｈをｂｍｍ指示の短軸目盛Ｅ１ｅに合わせ筆記具で多角楕円開孔Ｅ５の縁に沿ってなぞる。
方眼紙等の目盛線に合わせて使用する場合は各基準線合マーク６１ｇ、Ｃ１ｇ、Ｅ１ｇを目盛線に合わせて使用する。
本例のタブレット型の描画定規に於いて、拡縮調整体Ｃ２を時計回りで開孔は拡大し、反時計回りで縮小する。
操作状態図として図２及び図３は６角開孔６５の拡縮の大きさは一辺或は半径が７．５ｍｍで、図４は６角開孔６５の拡縮の大きさは一辺或は半径が１５ｍｍで、図５は６角開孔６５が０ｍｍで正六角形の中心を示すことができる。
図６の多角円開孔Ｃ５の拡縮の大きさは半径が１５ｍｍで、図７の多角楕円の開孔Ｅ５は長軸が１５ｍｍで短軸が１０ｍｍの状態を示している。
【００１４】
（２）基板着脱式の描画定規の機構及び操作の説明
（機構について）
図８の着脱基板１００に於いて着脱穴１０５及び１０２には取付ガイド１０５ａ乃至１０５ｄ及び１０２ａ乃至１０２ｄを設けていてタブレット型描画定規を自在に取付け取り外しが可能になっている。
着脱穴１０５等の中心を通り着脱基板１００の水平線上に水平基準線１００ａ及び垂直線上に垂直基準線１００ｂを設けている。
（操作について）
図８に於いて五角形タブレット型描画定規５０を装着する場合は着脱基板１００の上面より着脱穴に合わせて五角形タブレット型描画定規５０の取付溝５１ｋ１乃至５１ｋ４を着脱基板１００の取付ガイド１０５ａ乃至１０５ｄに沿うように下方に押して嵌め込み取り付ける。
タブレット型描画定規を基板より取り外す場合はタブレット型描画定規の枠体下部、或は枠体底部を指等で押さえて基板より上方に押し出す。  取付後の描画操作はタブレット型描画定規の単体状態の仕様と同様に扱う。  方眼紙等の目盛線に合わせて使用する場合は基準線１１０を目盛線に合わせて使用する。
図８は着脱基板１００に五角形のタブレット型描画定規５０の着脱前後状態を表し、六角形のタブレット型描画定規６０を着脱基板１００に装着した状態を表している。
図９は９種のタブレット型描画定規を着脱基板２００に装着した状態を示していて、三角形３０、四角形４０、五角形５０、六角形６０、七角形７０、八角形８０、九角形９０、多角円Ｃ０、多角楕円Ｅ０のそれぞれを装着している。
【符号の説明】
【００１５】
３０三角形タブレット型描画定規
４０四角形タブレット型描画定規
５０五角形タブレット型描画定規
６０六角形タブレット型描画定規
６１枠体
６１ａ枠体上部
６１ｂ枠体底部
６１ｃ径長値
６１ｄ径長目盛
６１ｅ辺長目盛
６１ｆ辺長値
６１ｇ１乃至６１ｇ４基準線合マーク
６１ｈ回転スライド溝
６１ｉ１乃至６１ｉ４嵌合ガイド
６１ｊ１乃至６１ｊ４嵌合溝
６１ｋ１乃至６１ｋ４取付溝
６１ｍ開通孔
６１ｐ乃至６１ｕガイド溝
６２拡縮調整体
６２ａ乃至６２ｆ突起
６２ｇ回転スライドガイド
６２ｈ辺長合マーク
６２ｉ径長合マーク
６３拡縮体
６３ａ乃至６３ｆスライド板
６３ａ１乃至６３ｆ１長穴
６３ａ２乃至６３ｆ２スライドガイド
６５６角開孔
７０七角形タブレット型描画定規
８０八角形タブレット型描画定規
９０九角形タブレット型描画定規
Ｃ０多角円形タブレット型描画定規
Ｅ０多角楕円形タブレット型描画定規
１００着脱基板
１００ａ水平基準線
１００ｂ垂直基準線
１０２着脱穴
１０２ａ乃至１０２ｄ取付ガイド
１０５着脱穴
１０５ａ乃至１０５ｄ取付ガイド
２００着脱基板
３００基板
３５０タブレット型５角形描画部
３６０タブレット型６角形描画部
３Ｃ０タブレット型多角円形描画部
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
2016175355.tif 000028
【図２】
2016175355.tif 000029
【図３】
2016175355.tif 000030
【図４】
2016175355.tif 000031
【図５】
2016175355.tif 000032
【図６】
2016175355.tif 000033
【図７】
2016175355.tif 000034
【図８】
2016175355.tif 000035
【図９】
2016175355.tif 000036